(57)【要約】【課題】止水性と気密性にすぐれ、しかも屋外側からでもきわめて簡単にかつ確実に施工できるようにした目地構造を提供する。【解決手段】板ガラス１と板ガラス２との間に形成された目地溝３の屋内側の開口端部、すなわち板ガラス１の屋内側の端部と板ガラス２の屋内側の端部にそれぞれ一次目地部材６，６を取り付ける。一次目地部材６，６間に目地溝３と連続する嵌合溝７を形成する。目地溝３および嵌合溝７に二次目地部材８を挿入し、その屋外側にシーリング材９を充填する。二次目地部材８は目地溝３の屋内側寄りに挿入された基部８ａとその屋内側に突設され、嵌合溝７に嵌合された嵌合部８ｂとから形成する。【選択図】                図１
2004150163.tif 000002
【特許請求の範囲】
【請求項１】
目地溝の屋内側端部に一組の一次目地部材を対向して取り付けることにより前記目地溝と連続する嵌合溝を形成し、前記目地溝および前記嵌合溝に前記目地溝に挿入された基部と該基部の屋内側に突設され、前記嵌合溝に嵌合された嵌合部とからなる二次目地部材を取り付け、かつその屋外側にシーリング材を取り付けてなることを特徴とする目地構造。
【請求項２】
目地溝の屋内側端部に一組の一次目地部材を対向して取り付けることにより前記目地溝と連続する嵌合溝を形成し、前記目地溝および前記嵌合溝に前記目地溝に挿入された基部と該基部の両側に突設され、前記嵌合溝に嵌合された舌片部とからなる二次目地部材を取り付け、かつその屋外側にシーリング材を取り付けてなることを特徴とする目地構造。
【請求項３】
二次目地部材の基部および／または嵌合部は中空に形成されてなることを特徴とする請求項１または２記載の目地構造。
【請求項４】
二次目地部材の基部および／または嵌合部の内周面は凹凸面状にそれぞれ形成されてなることを特徴とする請求項１〜３のいずれかに記載の目地構造。
【請求項５】
二次目地部材の基部は硬質樹脂性または硬質ゴム性の弾性材から、嵌合部は軟質樹脂性または軟質ゴム性の弾性材からそれぞれ形成されてなることを特徴とする請求項１〜４のいずれかに記載の目地構造。
【請求項６】
嵌合溝の対向面は凹曲面状に形成されてなることを特徴とする請求項１〜５のいずれかに記載の目地構造。
【発明の詳細な説明】
【０００１】
【発明の属する技術分野】
本願発明は目地構造に関し、主にＤＰＧやＭＰＧ等のガラススクリーンにおいて、隣接する板ガラスどうしのジョイント部（以下「目地部」という）の水密性と気密性を確保するために施工されるものである。
【０００２】
【従来の技術】
ガラススクリーン等における隣接するガラス間の目地部の水密性と気密性を確保する方法として、目地部に不定形のシーリング材を充填する方法が一般に知られている。
【０００３】
また、施工方法としては、目地部の周囲に特に障害となるようなものがなく、目地部の屋外側と屋内側のいずれの側からでも施工可能な場合においては、一般に目地部の一方側にシーリング材の受けとなるシーリングバックアップ材をあらかじめ取り付けておき、反対側から目地部にシーリング材を充填する方法がとられている。
【０００４】
【発明が解決しようとする課題】
しかし、例えば図７に図示するように、互いに隣り合って設置された板ガラス１と板ガラス２との間に形成された目地溝３の屋内側に、柱や梁などの障害物４があって充分な作業スペースを確保できないような場合には、シーリング材５の充填がきわめて困難か、全くできない場合があった。
【０００５】
また、目地溝３にシーリング５を充填できたとしても、永年の経過とともにシーリング材５が劣化して気密および止水効果が著しく低下してしまう等の課題があった。さらに、シーリング材は不定形材であることから特殊な治具を用いて充填作業を行う必要があるだけでなく、均等な厚さに充填することがきわめて困難であった。
【０００６】
なお、当出願人はこれまで、この種の目地構造として定形シーリング材を用いて形成された乾式の目地構造を開発したが（特願２００１−２６８７２５号）、特に目地部材の形状が複雑で成形が面倒なだけでなく、水密性と気密性の点で必ずしも充分なものとは言えないものであった。
【０００７】
本願発明は、以上の課題を解決するためになされたもので、当出願人が開発した先の目地構造を改良したもので、特に目地部の屋外側からでもきわめて簡単にかつ確実に施工でき、しかも水密性と気密性を保持できるようにした目地構造を提供することを目的とする。
【０００８】
【課題を解決するための手段】
請求項１記載の目地構造は、目地溝の屋内側端部に一組の一次目地部材を対向して取り付けることにより前記目地溝と連続する嵌合溝を形成し、前記目地溝および前記嵌合溝に前記目地溝に挿入された基部と該基部の屋内側に突設され、前記嵌合溝に嵌合された嵌合部とからなる二次目地部材を取り付け、かつその屋外側にシーリング材を取り付けてなることを特徴とするものである。
【０００９】
請求項２記載の目地構造は、目地溝の屋内側端部に一組の一次目地部材を対向して取り付けることにより前記目地溝と連続する嵌合溝を形成し、前記目地溝および前記嵌合溝に前記目地溝に挿入された基部と該基部の両側に突設され、前記嵌合溝に嵌合された複数の舌片部とからなる二次目地部材を取り付け、かつその屋外側にシール材を充填してなることを特徴とするものである。
【００１０】
請求項１および２記載の発明は、いずれも施工後の乾燥を必要としない、いわゆる「ドライ目地」の構造に関するものであり、特に一組の一次目地部材間に形成された嵌合部に二次目地部材の嵌合部が嵌合されていることで、二次目地部材を目地溝内に確実に固定することができる。
【００１１】
また、二次目地部材の嵌合部が嵌合溝の対向面に、基部が目地溝の対向面にそれぞれ強く密着し、さらに二次目地部材の屋外側にシーリング材が取り付けられていることにより、目地溝が三重にシールされているため、目地部の止水性と気密性を確実に保持することができるものである。
【００１２】
また、地震などで目地部に動きが生じても一次目地部材と二次目地部材がそれに自由に追随変形することで、目地部材が破断したり剥離したりする等のおそれは全くなく、目地部の水密性と気密性を維持することができるものである。
【００１３】
さらに、一次目地部材および二次目地部材を樹脂またはゴム性弾性材で形成することで、施工に際しても多少の寸法誤差、目地部材のしわやひずみ等を簡単に吸収することができ、目地部材を目地溝に簡単に取り付けることができるものである。なお、ここでシーリング材としては、原則としてパテ、コーキング材などの不定形弾性型が用いられているが、ガスケット等の定形型が用いられていてもよい。
【００１４】
請求項３記載の目地構造は、請求項１または２記載の目地構造において、二次目地部材の基部および／または嵌合部が中空に形成されてなることを特徴とするものである。二次目地部材の基部および／または嵌合部が中空に形成されていることで、基部および嵌合部の弾発力（復元力）が高められるため、基部と嵌合部を目地溝と嵌合溝内にそれぞれ確実に密着させることができる。
【００１５】
また、万一雨水が屋内側に浸入したとしても、浸入した雨水は中空部で下方に排水され、これより屋内側に浸入することはないので、止水処理を確実に行うことができる。この場合、目地部の下端部に中空部内を流れ落ちた雨水を受けて屋外に排水するための水切り部材を取り付けておくのが望ましい。
【００１６】
請求項４記載の目地構造は、請求項１〜３のいずれかに記載の目地構造において、二次目地部材の基部および／または嵌合部の内周面は凹凸面状に形成されてなることを特徴とするものであり、二次目地部材の基部および／または嵌合部の内周面がこのように形成されていることで、二次目地部材の基部および嵌合部は共に変形しやすく、しかも弾力性（復元力）が増すため、二次目地部材を目地溝内に容易に取り付けることができるとともに、二次目地部材を確実に固定することができる。なお、この場合の凹凸面状としては、例えば基部および嵌合部の上下方向に連続する凸状部と凹状部をそれぞれ基部および嵌合部の周方向に交互に形成したものでよい。
【００１７】
請求項５記載の目地構造は、請求項１〜４のいずれかに記載の目地構造において、二次目地部材の基部は硬質樹脂性または硬質ゴム性の弾性材から、嵌合部は軟質樹脂性または軟質ゴム性の弾性材からそれぞれ形成されてなることを特徴とするものである。
【００１８】
請求項６記載の目地構造は、請求項１〜５のいずれかに記載の目地構造において、嵌合溝の対向面は凹曲面状に形成されてなることを特徴とするものであり、嵌合溝の対向面が凹曲面状に形成されていることで、嵌合部が嵌合溝内に確実に嵌合することができるため、二次目地部材を確実に固定することができる。
【００１９】
【発明の実施の形態】
図１〜図４は、本願発明に係る目地構造の一例を示し、図において板ガラス１と板ガラス２が互いに隣り合って設置され、該板ガラス１と板ガラス２との間に所定幅の目地溝３が板ガラス１および板ガラス２の上下方向に連続して形成されている。
【００２０】
また、目地溝３の屋内側の開口端部、すなわち板ガラス１の屋内側の端部、板ガラス２の屋内側の端部にそれぞれ一次目地部材６，６が取り付けられ、該一次目地部材６，６間に目地溝３と連続する嵌合溝７が板ガラス１および板ガラス２の上下方向に連続して形成されている。
【００２１】
一次目地部材６，６は硬質ゴム等の硬質性弾性材から断面略台角形状に形成され、それぞれその底面部６ａを板ガラス１と板ガラス２の屋内側面に接着材で接着することにより板ガラス１の屋内側の端部、板ガラス２の屋内側の端部にそれぞれ固着されている。
【００２２】
この場合、例えば図４（ａ），（ｂ）に図示するように、底面部６ａの表面が接着材を充分に塗着できるように凹凸状に形成されていることで、一次目地部材６，６は板ガラス１と板ガラス２の屋内側面に確実に固着されている。
【００２３】
また、こうして取り付けられた一組の一次目地部材６，６の対向面間に上述した嵌合溝７が形成され、その屋内側端部、すなわち一次目地部材６，６の屋内側端部に、互いに対向するリブ６ｂ，６ｂが目地溝３の上下方向に連続してそれぞれ突設されている。
【００２４】
なお、この場合の嵌合溝７は、例えば図１（ｂ）に図示するように、対向面が平面状、または図２（ｂ）に図示するように、凹曲面状をなす溝状に形成されていてもよい。
【００２５】
こうして形成された目地溝３と嵌合溝７内に二次目地部材８が双方の溝に跨がって挿入され、さらにその屋外側にシーリング材９が充填されている。
【００２６】
二次目地部材８は、目地溝３の屋内側寄りに挿入された基部８ａとその屋内側に突設され、嵌合溝７に嵌合された嵌合部８ｂとから目地溝３および嵌合溝７の上下方向に連続して形成されている。
【００２７】
基部８ａは目地溝３の溝幅よりやや小径の断面略矩形の中空断面形に形成され、その両側に目地溝３の対向面、すなわち板ガラス１，２の端面にそれぞれ変形して強く密着する舌片部８ｃ，８ｃが基部８ａの上下方向に連続して複数列突設されている。また、基部８ａは舌片部８ｃ，８ｃとともに硬質合成樹脂材から一体的に形成されている。
【００２８】
一方、嵌合部８ｂは嵌合溝７の溝幅よりやや太径の断面略矩形または円形の中空断面形に形成され、その内周は凹凸面状に形成されている。また、嵌合部８ｂは基部８ａより軟質の軟質性弾性材、例えばスポンジ等から形成されている。この場合、嵌合部８ｂは軟質弾性材から形成され、かつ内周が凹凸面状に形成されていることで、きわめて変形しやすく、しかも弾発力に非常に富んでいるため、嵌合溝７の断面形状が矩形、円形のいずれの場合においても、嵌合溝７内に確実に密着させることができるため、二次目地部材８を目地部に強固に固定することができる。
【００２９】
シーリング材９は板ガラス１，２の対向面にのみそれぞれ接着され、二次目地部材８には、二次目地部材８とシーリング材９との間にボンドブレーカー１０が介在されていることで接着されていない。シーリング材９がこのような状態で目地溝３に充填されていることで、たとえ目地部が地震などで動いたとしても、この動きに二次目地部材８が追従して変形することがないので、目地部が破断して雨水が浸入してしまう等の問題は発生しない。
【００３０】
図５と図６は本願発明の他の例を示し、図において、特に一次目地部材６，６の対向面にテーパを付けることにより嵌合溝７が屋内方向に徐々に小幅になるように形成されている。
【００３１】
また、二次目地部材８の基部８ａはフランジ部８ｄとウェブ部８ｅとから断面略Ｔ形状に形成され、フランジ部８ｄの両側に複数の舌片部８ｃが嵌合部として複数列にそれぞれ突設されている。
【００３２】
そして、フランジ部８ｄの両端部が変形して目地溝３の対向面に密着し、各舌片部８ｃの先端部が嵌合溝７の対向面にそれぞれ変形して密着し、さらに二次目地部材８の屋外側にシーリング材９が充填されていることで、目地溝３の止水性と気密性が三重に保持されている。
【００３３】
なお、この例においても二次目地部材８とシーリング材９との間にボンドブレーカー１０が介在されて二次目地部材８とシーリング材９が接着されない状態にあるので、目地部が地震などで動いたとしても、この動きに二次目地部材８が追従して変形することはないので、目地部が破断して雨水が浸入してしまう等の問題は発生しない。
【００３４】
【発明の効果】
本願発明は以上説明したとおりであり、特に二次目地部材の嵌合部が嵌合溝の対向面に、基部が目地溝の対向面にそれぞれ強く密着し、さらに二次目地部材の屋外側にシーリング材が取り付けられていることにより、目地溝が三重にシールされているため、目地部の止水性と気密性を確実に保持することができる。
【００３５】
また、屋内側端部に一組の一次目地部材を対向して取り付けることにより形成された嵌合溝に二次目地部材の嵌合部を嵌合させて、二次目地部材が目地溝内に固定されているため、例えば比較的薄い板ガラス（１０ｍｍ程度）同士のジョイント部のように、目地溝が比較的浅いためにシーリングバックアップ材を入れる余裕がない場合でも、二次目地部材を目地溝内に確実に固定することができる。
【００３６】
また、地震などで目地部に動きが生じても二次目地部材がそれに自由に追随変形することできるため、目地部材が破断したり剥離したりする等のおそれは全くなく、目地部の水密性と気密性を維持することができるものである。
【００３７】
さらに、一次目地部材および二次目地部材を樹脂またはゴム性弾性材で形成することで、施工に際しても多少の寸法誤差、目地部材のしわやひずみ等を簡単に吸収することができるだけでなく、目地部材を目地溝に簡単に取り付けることができる。
【００３８】
また、二次目地部材の基部と嵌合部が中空に形成されているので、二次目地部材の弾発力（復元力）が非常に高く、このため基部と嵌合部を目地溝と嵌合溝内にそれぞれ確実に密着させることができる。
【００３９】
また、万一雨水が屋内側に浸入したとしても、浸入した雨水は中空部で下方に排水され、これより屋内側に浸入することはないので、止水処理も確実に行うことができる。
【図面の簡単な説明】
【図１】本願発明の目地構造の一例を示し、（ａ）はその施工後の横断面図、（ｂ）はその施工前の横断面図である。
【図２】本願発明の目地構造の他の例を示し、（ａ）はその施工後の横断面図、（ｂ）はその施工前の横断面図である。
【図３】（ａ），（ｂ）は、二次目地部材の一例を示す横断面図である。
【図４】（ａ），（ｂ）は、一次目地部材の他の例を示す横断面図である。
【図５】本願発明の目地構造の他の例を示し、（ａ）はその施工後の横断面図、（ｂ）はその施工前の横断面図である。
【図６】（ａ）は二次目地部材の一例を示す横断面図、（ｂ）は一次目地部材の一例を示す横断面図である。
【図７】従来の目地構造の一例を示す斜視図である。
【符号の説明】
１  板ガラス
２  板ガラス
３  目地溝
４  柱や梁などの障害物
５  シーリング材
６  一次目地部材
６ａ  底面部
６ｂ  リブ
７  嵌合溝
８  二次目地部材
８ａ  基部
８ｂ  嵌合部
８ｃ  舌片部
８ｄ  フランジ部
８ｅ  ウェブ部
９  シーリング材
１０  ボンドブレーカー
【図１】
2004150163.tif 000003
【図２】
2004150163.tif 000004
【図３】
2004150163.tif 000005
【図４】
2004150163.tif 000006
【図５】
2004150163.tif 000007
【図６】
2004150163.tif 000008
【図７】
2004150163.tif 000009